(57)【要約】      （修正有）【課題】毛髪表面の断面形状（表面輪郭形状）、毛髪表面の段差を高精度に測定できる形状測定装置の実現。【解決手段】測定すべき毛髪に向けて走査ビームを投射する対物レンズ１３を含み、毛髪からの反射光を受光して毛髪表面の共焦点画像を撮像する共焦撮像装置と、複数の毛髪を、その長手軸線方向であるＸ軸方向に支持すると共にＸ軸と直交するＹ軸方向そって所定の間隔で整列支持する毛髪支持手段１５と、Ｘ軸方向及びＹ軸方向に移動可能で、前記毛髪支持手段を支持するステージ１４とその駆動手段と、対物レンズとステージとの間の相対距離を変化させる手段１６と、共焦点撮像装置から出力される画像信号に基づき、毛髪表面の断面画像情報及び／又は毛髪表面に存在する段差の大きさを示す段差情報を出力する信号処理装置１０とを有する。ステージは、測定される毛髪の本数及び測定点の座標情報に基づき、ジグザグ状に設定された移動経路に沿って移動する。【選択図】図１
2013092409.tif 000002
【特許請求の範囲】
【請求項１】
毛髪の断面輪郭形状を測定する形状測定装置であって、
測定すべき毛髪に向けて走査ビームを投射する対物レンズを含み、毛髪からの反射光を受光して毛髪表面の画像を撮像する共焦点撮像装置と、
複数の毛髪を、その長手軸線方向であるＸ軸方向に支持すると共にＸ軸と直交するＹ軸方向そって所定の間隔で整列支持する毛髪支持手段と、
前記Ｘ軸方向及びＹ軸方向に移動可能に支持され、前記毛髪支持手段を支持するステージと、
前記対物レンズとステージとの間の相対距離を変化させる手段と、
前記ステージをＸ軸方向及びＹ軸方向に移動させるステージ移動手段と、
共焦点撮像装置から出力される画像信号に基づき、毛髪表面の断面情報及び／又は毛髪表面に存在する段差の大きさを示す段差情報を出力する信号処理装置とを有することを特徴とする形状測定装置。
【請求項２】
請求項１に記載の形状測定装置において、さらに、前記ステージの移動経路を設定するステージ制御手段を有し、当該ステージ制御手段は、毛髪についての測定点を示す座標情報に基づき、Ｘ軸方向及びＹ軸方向にそってジグザグ状のステージ移動経路を設定し、１回の測定操作により複数本の毛髪について形状測定が行われると共に各毛髪について複数の測定点について形状測定が行われることを特徴とする形状測定装置。
【請求項３】
請求項２に記載の形状測定装置において、前記ステージ制御手段は、入力された毛髪の本数及び毛髪１本当たりの測定点の数に基づき、前記移動経路中に設定される測定点のＸ軸及びＹ軸方向の座標を示す座標情報を形成する手段を有することを特徴とする形状測定装置。
【請求項４】
請求項１、２又は３に記載の形状測定装置において、前記毛髪支持手段は毛髪を支持する支持プレートを有し、当該支持プレートの表面には、前記Ｘ軸方向に延在すると共に前記Ｙ軸方向に沿って所定の間隔で形成され、毛髪が配置される複数の支持溝が形成され、各支持溝のＸ軸方向の両端には毛髪を把持する把持手段がそれぞれ設けられ、測定されるべき毛髪は支持溝中に配置されると共に把持手段により把持されることにより、前記Ｘ及びＹ軸方向並びにＺ軸方向に整列支持されることを特徴とする形状測定装置。
【請求項５】
請求項１から４までのいずれか１項に記載の形状測定装置において、前記共焦点撮像装置は前記対物レンズとステージ上の毛髪との間の相対距離を変えながら複数の２次元画像を撮像し、
前記信号処理装置は、共焦点撮像装置から出力される画像信号を用いて、毛髪の長手軸線に対する表面高さ分布を示す表面高さ分布曲線を形成する手段と、表面高さ分布曲線から前記長手軸線方向の微係数分布を算出する微分手段と、微係数が正から負に反転する変曲点及びその表面高さを検出する第１の変曲点検出手段と、微係数が負から正に反転する変曲点及びその表面高さを検出する第２の変曲点検出手段とを有し、
前記第１の変曲点検出手段及び第２の変曲点検出手段からの出力信号に基づいて毛髪表面の段差の大きさを示す段差情報を出力することを特徴とする形状測定装置。
【請求項６】
請求項５に記載の形状測定装置において、前記信号処理装置は、さらに、前記第１の変曲点検出手段から出力される各変曲点における表面高さを加算する第１の加算手段と、前記第２の変曲点検出手段から出力される各変曲点における表面高さを加算する第２の加算手段と、第１の加算手段からの出力と第２の加算手段からの出力との差分を算出する差分手段とを含み、前記差分手段から１つの測定点における毛髪表面の段差情報の平均値が出力されることを特徴とする形状測定装置。
【請求項７】
請求項６に記載の形状測定装置において、前記信号処理装置は、さらに、前記差分手段からの出力信号と前記ステージ制御手段から出力されるステージ移動経路情報とを用いて、各毛髪について設定された複数の測定点の段差データの平均値を算出する手段を有することを特徴とする形状測定装置。
【請求項８】
請求項１から４までのいずれか１項に記載の形状測定装置において、前記共焦点撮像装置は前記対物レンズとステージ上の毛髪との間の相対距離を変えながら複数の２次元画像を撮像し、
前記信号処理装置は、共焦点撮像装置から出力される画像信号を用いて、毛髪の長手軸線に対する表面高さ分布を示す表面高さプロファイルを形成する手段と、表面高さプロファイルから各キューティクルの前記長手軸線方向範囲を求める手段と、各キューティクルごとに表面高さの最大値と最小値とを求める手段とを有し、
求めた表面高さの最大値と最小値とに基づいてキューティクル段差情報を出力することを特徴とする形状測定装置。
【請求項９】
請求項１から８までのいずれか１項に記載の形状測定装置において、前記共焦点型撮像装置は、光ビームを発生する光源装置と、光源装置から出射した光ビームを２次元走査するスキャナと、スキャナから出射した光ビームを測定されるべき毛髪に向けて投射する対物レンズと、毛髪から出射した反射ビームを対物レンズを介して受光する光検出手段とを含むことを特徴とする形状測定装置。
【発明の詳細な説明】
【技術分野】
【０００１】
本発明は、毛髪の表面形状、特に毛髪表面の断面画像や毛髪表面に存在する段差の大きさを示す段差情報を出力する形状測定装置に関するものである。
【背景技術】
【０００２】
毛髪の表面には、薄い層状の毛小皮であるキューティクルが毛根から毛先に向かって形成されている。このキューティクルは、毛髪の痛み度合いと関連しており、キューティクルが剥がれると枝毛や切れ毛の原因となる。また、キューティクルの成分は、ケラチン（タンパク質）であり、アルカリ性の溶液に溶けやすい性質がある。よって、石鹸やシャンプーは油分を落とすアクカリ性のため、シャンプーを頻繁に用いると、キューティクルが剥離する原因となるだけでなく、キューティクルの毛羽立ちやリストアップの原因となる。これに対して、シャンプーの後に用いられるリンスは酸性であり、シャンプーされた毛髪を弱酸性に戻し、油分を補う効果がある。従って、毛髪表面の断面形状や段差の大きさを測定することは、シャンプーやリンス等の化粧品の性能評価を行う上で、極めて有益な方法である。
【０００３】
毛髪表面の凹凸形状を測定する方法として、レーザ顕微鏡を用いる測定方法が既知である（例えば、特許文献１参照）。この既知の測定方法では、測定されるべき毛髪について、そのレプリカが作成され、レプリカの表面の形状がレーザ顕微鏡により観察されている。そして、レプリカを光軸方向に移動させながら画像が形成され、一走査線上の凹凸データが取得されている。
【特許文献１】特開平５−２５６６３１号公報
【発明の概要】
【発明が解決しようとする課題】
【０００４】
毛髪表面の凹凸の大きさないし段差の大きさは、０．５μｍ程度である。従って、毛髪のレプリカを作成し、作成されたレプリカの表面形状を測定する方法では、測定誤差に加えてレプリカ作成工程における誤差が加算されるため、最終的な誤差が大きすぎ、測定データの信頼性に問題があった。
【０００５】
各種化粧品の性能評価に有益なデータを取得するには、１本の毛髪について多数の測定点について測定を行って、測定精度を高める必要がある。しかしながら、１本の毛髪について手動で測定点を位置決めしながら測定したのでは、毛髪の測定点の位置合せが煩雑であり、測定に長時間かかる不具合が発生する。
【０００６】
さらに、測定された凹凸データについて、手動で凹部及び凸部の高さ方向の位置を計測して段差の大きさを求めたのでは、高さ測定に長時間かかり、例えば性能評価に必要なデータの取得に１週間程度かかる不具合が生じてしまう。
【０００７】
本発明の目的は、毛髪表面の断面形状（表面輪郭形状）を直接測定でき、毛髪表面の段差の大きさを高精度に測定できる形状測定装置を実現することにある。
さらに、本発明の別の目的は、１回の測定操作により複数本の毛髪について測定できると共に各毛髪について多数の測定点が設定されても短時間で測定できる形状測定装置を提供することにある。
さらに、本発明の別の目的は、毛髪の表面段差の大きさを多数の測定点について自動的に測定できる形状測定装置を実現することにある。
【課題を解決するための手段】
【０００８】
本発明による形状測定装置は、毛髪の断面輪郭形状を測定する形状測定装置であって、
測定すべき毛髪に向けて走査ビームを投射する対物レンズを含み、毛髪からの反射光を受光して毛髪表面の共焦点画像を撮像する共焦撮像装置と、
複数の毛髪を、その長手軸線方向であるＸ軸方向に支持すると共にＸ軸と直交するＹ軸方向そって所定の間隔で整列支持する毛髪支持手段と、
前記Ｘ軸方向及びＹ軸方向に移動可能に支持され、前記毛髪支持手段を支持するステージと、
前記対物レンズとステージとの間の相対距離を変化させる手段と、
前記ステージをＸ軸方向及びＹ軸方向に移動させるステージ駆動手段と、
共焦点撮像装置から出力される画像信号に基づき、毛髪表面の断面画像情報及び／又は毛髪表面に存在する段差の大きさを示す段差情報を出力する信号処理装置とを有することを特徴とする。
【０００９】
本発明では、光ビームにより試料表面を２次元走査する共焦点撮像装置ないし共焦点走査装置を用い、対物レンズと毛髪との間の相対距離を変えながら複数の２次元共焦点画像を撮像する。撮像された２次元共焦点画像と対物レンズと毛髪との間の相対距離情報とを用い、毛髪表面の３次元画像を形成し、３次元画像情報を用いて毛髪の長手軸線方向に沿って切って示す断面形状画像を作成する。断面形状画像を形成することにより、毛髪の長手軸線方向の位置に対する表面高さ分布を示す表面高さ分布曲線が得られる。当該表面高さ分布曲線について微分処理を行うことにより、毛髪表面に存在する段差の山の部位に対応する第１の変曲点及びその表面高さ並びに谷の部位に相当する第２の変曲点及びその高さ位置が検出される。そして、これら第１の変曲点における表面高さ位置と第２の変曲点の表面高さ位置との差分を検出することにより、毛髪表面に形成された段差ないしキューティクルの大きさが自動的に測定することができる。
【００１０】
本発明では、毛髪を整列支持する支持手段を用い、測定される複数の毛髪を  Ｘ軸方向及びこれと直交するＹ軸方向並びにＸ軸及びＹ軸と直交するＺ軸方向に整列支持する。支持手段は、Ｘ軸方向に延在すると共にＹ軸方向にそって所定のピッチで形成した複数の支持溝を有し、これらの支持溝内に測定すべき毛髪を配置する。そして、ステージのＸ及びＹ方向の移動を制御するステージ制御手段を設け、ステージ制御手段によりジグザグ状のステージ移動経路を設定する。操作者がキーボードのような入力装置を用いて１回の測定操作により測定される毛髪の本数及び毛髪１本当たりの測定点数を入力すると、ステージの移動経路が自動的に規定されるので、１本の毛髪当たり多数の測定点が設定されても、短時間で測定を完了することができ、測定のスループットが大幅に同大する利点が達成される。
【発明の効果】
【００１１】
本発明では、測定される複数の毛髪をＸ、Ｙ及びＺ軸方向に整列支持する支持手段を用いると共に、ステージのＸ及びＹ軸方向に沿うジグザグ状の移動経路を設定するステージ制御手段を用いているので、１回の測定操作で多数の毛髪について測定できると共に毛髪１本当たりに多数の測定点が設定されても、短時間で毛髪表面の段差を測定することが可能である。
【図面の簡単な説明】
【００１２】
【図１】本発明による形状測定装置の光学系の構成を示す図である。
【図２】毛髪支持手段の一例を示す図である。
【図３】ステージの移動経路を示す図である。
【図４】毛髪の断面形状を示す表面高さ分布曲線の実測値を示すグラフである。
【図５】信号処理装置の一例を示す図である。
【図６】キューティクルごとに段差の大きさを算出するアルゴリズムを示す図である。
【発明を実施するための形態】
【００１３】
図１は本発明による形状測定装置の光学系の構成を示す線図である。本発明では、共焦点撮像装置を用いて毛髪表面の断面輪郭形状を撮像する。図１を参照するに、照明光源１として、水銀ランプを用いる。尚、キセノンランプ等の水銀ランプ以外の種々の照明光源も用いることができる。照明光源１から出射した照明ビームは、複数の光ファイバが円形に積層された光ファイババンドル２に入射し、光ファイバを伝搬して、断面がほぼ円形の発散性ビームとして出射し、フィルタ３に入射する。フィルタ３は、入射した光ビームから例えば緑の波長光（ｅ線：波長５４６ｎｍ）を出射させる。フィルタから出射した光ビームは、集束性レンズ４により平行ビームに変換されてスリット５に入射する。スリット５は、集束性レンズ４の瞳位置に配置され、第１の方向（紙面と直交する方向）に延在する細長い開口部を有する。ここで、第１の方向は、毛髪の長手軸線であるＸ方向に対応する。スリット５の開口部の幅は、例えば１０〜２０μｍに設定する。従って、スリット５から第１の方向に延在する細長いライン状の光ビームが出射する。このライン状の光ビームは、ビームスプリッタとして機能するハーフミラー６で反射し、リレーレンズ７を経て走査装置として機能する振動ミラー８に入射する。
【００１４】
振動ミラー８には、駆動回路９が接続され、駆動回路９は信号処理装置１０から供給される制御信号に基づき振動ミラーを駆動する。振動ミラー８は、所定の偏向角度だけ回動し、入射するライン状の光ビームを第１の方向と直交する第２の方向（Ｙ方向）に偏向するビーム走査装置として機能する。信号処理装置１０は、振動ミラーの回転角度情報に基づいて、光ビームのＹ方向の位置情報を取得する。尚、振動ミラーの代りに、ポリゴンミラー等の他の走査装置を用いることも可能である。振動ミラー８から出射したライン状の光ビームは、リレーレンズ１１及び１２を経て対物レンズ１３に入射する。
【００１５】
対物レンズ１３は、入射したライン状の光ビームを集束し、ステージ１４に配置したプレート状の毛髪支持部材１５上に整列支持される毛髪に向けて投射する。従って、毛髪の表面は、第１の方向（Ｘ方向）に延在するライン状の光ビームにより、直交する第２の方向（Ｙ方向）に走査される。
【００１６】
対物レンズ１３にはモータ１６が連結され、信号処理装置１０から供給される駆動制御信号により光軸方向に沿って移動することができる。対物レンズの光軸方向の位置は位置センサ１７により検出され、信号処理装置１０に供給される。ここで、モータ１６は、対物レンズとステージ上の毛髪との間の光軸方向の相対距離、すなわち、光ビームの集束点と毛髪との間の相対距離を変化させる手段として機能する。尚、対物レンズは、例えば１０ｎｍの分解能で光軸方向に移動することができる。
【００１７】
共焦点走査装置の特性より、対物レンズ１３を光軸方向に移動させながら振動ミラー８を駆動して毛髪の表面の２次元共焦点画像を複数回撮像し、各画素毎に最大輝度値を発生する光軸方向の位置を検出することにより、毛髪表面の３次元形状情報（３次元画像）を取得することができる。また、取得した３次元形状情報に基づき、毛髪の表面形状を断面として示す表面輪郭形状（断面形状情報）を取得することができる。
【００１８】
ステージ１４は、ＸＹステージにより構成され、信号処理装置１０から供給される駆動信号に基づきＸ軸方向及びＹ軸方向に自在に移動する。また、ステージのＸ及びＹ方向の位置情報は、ステージ位置センサ１８により検出され、ステージの位置情報として信号処理装置１０に供給される。後述するように、ステージ１４はＸ方向及びＹ方向にジッグザッグ状に移動し、１回の一連の撮像操作により複数本の毛髪について設定された複数の測定点の３次元画像を撮像する。尚、信号処理装置１０は、画像情報を処理する処理装置として機能すると共にステージの移動を制御するステージ制御手段としても機能する。ステージの移動を制御するステージ制御手段として、信号処理装置１０は別にコントローラを設けることも可能である。
【００１９】
測定されるべき毛髪は、毛髪支持部材１５上にＸ及びＹ方向に整列支持する。毛髪からの反射ビームは、対物レンズ１３により集光され、リレーレンズ１２及び１１を経て振動ミラー８に入射し、振動ミラーによりデスキャンされる。振動ミラー８から出射した反射ビームは、結像レンズとして作用するレンズ７を通過し、ハーフミラー６を透過し、ポジショナ１９を経てリニアイメージセンサ２０に入射する。リニアイメージセンサ２０は、第１の方向（Ｘ軸方向）と対応する方向に配列された複数の受光素子を有し、入射したライン状の反射ビームを受光する。リニアイメージセンサのライン状に配列された受光素子列は、枠により入射開口が制限されているから、各受光素子の前面にピンホールが配置されているものとほぼ同等である。従って、毛髪からの反射光をリニアイメージセンサにより受光することにより、共焦点光学系が構成される。
【００２０】
リニアイメージセンサの各受光素子に蓄積された電荷は、信号処理装置１０から供給される読出制御信号により順次読み出され、毛髪表面の１次元画像信号として出力される。リニアイメージセンサから出力される画像信号は、増幅器２１で増幅され、信号処理装置１０に供給される。信号処理装置は、画像処理ボードを有し、受け取った画像信号、振動ミラーの回転角度情報を用いて毛髪表面の２次元画像を生成する。
【００２１】
測定すべき毛髪は、その長手軸線がＸ方向に延在するように毛髪支持手段１５に装着され、Ｘ方向に所定の間隔で設定された複数の測定点において、対物レンズの光軸方向の位置を変えながら２次元画像が撮像される。従って、信号処理装置１０は、リニアイメージセンサ２０から出力される画像信号と対物レンズの位置情報とを用いて、毛髪の３次元画像を各測定点ごとに順次撮像する。
【００２２】
図２は毛髪支持手段１５及び装着された毛髪の状態を示す図であり、図２（Ａ）は線図的平面図、図２（Ｂ）は側方から見た側面図であり、図２（Ｃ）は支持溝内に支持された毛髪の支持状態を示す図である。毛髪支持手段１５は、支持プレート３０を有する。支持プレート３０には、第１の方向（Ｘ方向に対応する）に延在する支持溝３１ａ〜３１ｅを第１の方向と直交する第２の方向（Ｙ方向に対応する）にそって所定の等間隔で形成する。尚、支持溝の数は５本に限られず、種々の本数に設定することができる。各支持溝３１ａ〜３１ｅの両端には、第１の把持手段３２ａ〜３２ｅ及び第２の把持手段３３ａ〜３３ｅをそれぞれ設ける。支持溝３１と第１及び第２の把持手段３２及び３３は同一軸線上に形成する。第１及び第２の把持手段３２及び３３は、Ｖ字状の溝と毛髪を把持する隙間を有し、毛髪の一端側をＶ字溝を介して隙間内に挟み込むことにより毛髪の端部が固定される。
【００２３】
支持溝３１ａ〜３１ｅは、図２（Ｂ）に示すように、毛髪を収納支持するためのＶ字状の断面を有する。尚、支持溝の断面形状は、Ｖ字状に限らず、毛髪を支持する種々の形状に設定することができる。測定すべき毛髪は、Ｖ字状の支持溝内に配置することにより、その長手軸線はＸ方向に延在するように配置され、その両端を把持手段３２及び３３により把持する。これにより、毛髪は、その長手方向にテンションが作用した状態に支持され、Ｘ方向及びＹ方向に整列する。また、長手軸線方向にそってテンションが作用した状態で支持されるので、毛髪の測定エリアのほぼ全長にわたって対物レンズの光軸方向（Ｚ軸方向）に対しても直線状に整列する。この結果、毛髪支持手段１５を、その支持溝３１ａ〜３１ｅがＸ方向に対して平行となるようにステージ１４上に配置すれば、測定されるべき毛髪は、その長手軸線が光ビームの延在方向（Ｘ方向）と平行に配列される。
【００２４】
図３は、測定中におけるステージの移動経路を説明する図である。本例では、対物レンズ１３はＸ及びＹ方向には固定され、毛髪が装着された毛髪支持手段を保持するステージ１４をＸ及びＹ方向にジグザグ状に移動させて各毛髪に設定された測定点を順次移動する。本例では、毛髪支持手段１５には、５本の毛髪がＹ方向に所定の間隔で整列支持され、ステージは、対物レンズの光軸が５本の毛髪上を順次走査するように移動する。各測定点において、ステージは静止し、対物レンズを光軸方向に移動させながら、ライン状の光ビームをＹ方向に走査して複数の２次元画像を撮像する。
【００２５】
ステージの移動経路４０は、移動開始点４１から移動終了点４２に至る間にジグザグ状に設定する。初めに、移動開始点４１から移動を開始、第１の測定点４３ａに到達する。第１の測定点において、複数の２次元画像を撮像する。続けて、所定のピッチだけＸ方向に移動し、第２の測定点４３ｂに到達し、同様に複数の２次元画像を撮像する。この動作を設定された測定点について順次繰り返す。本例では、１本の毛髪について６個の測定点が設定されるものとし、６個の測定点についての撮像動作が終了すると、１本の毛髪についての撮像操作は終了する。最終的に、５本の毛髪についてそれぞれ６個の測定点において複数の２次元画像を撮像する。勿論、説明の便宜上６個の測定点を図示したが、１本の毛髪に対する測定点の数は任意に設定することができ、入力された本数情報に対応した数の測定点が設定される。また、１回の測定操作により測定する毛髪の本数も任意に設定することができる。
【００２６】
１本の毛髪について設定される測定点の座標情報は、Ｘ方向のステージの移動距離とキーボート等の入力装置を介して信号処理装置に入力された測定点の数から求めることができる。そして、信号処理装置は、入力された測定点の数とＸ方向のステージの移動距離とに基づいて各測定点の座標を算出し、得られた測定点の座標情報に基づきステージ移動経路上に所定の間隔で移動するようにステージを制御する。
【００２７】
図３（Ｂ）は、１本の毛髪に設定された撮像エリア４３を示す。本例では、ライン状光ビームは毛髪の延在方向であるＸ方向に延在するように設定され、ライン状光ビームをＸ方向と直交するＹ方向に走査することにより毛髪の２次元画像を撮像する。この場合、Ｙ方向の走査時間は、振動ミラー８の回動角度で規定され、毛髪の直径は高々２００μｍ程度であるから、振動ミラーの回動角度は極めて小さいものである。この結果、２次元画像の撮像時間は極めて短時間となり、高いスループットが達成される。
【００２８】
図４は、図１〜図３に示す本発明による形状測定装置で実際に測定された１つの測定点における毛髪表面の断面形状（表面輪郭形状）を示す。図４において、横軸は毛髪の長手軸線方向位置を示し、縦軸は表面高さを示す。この測定データは、１つの測定点において撮像された毛髪の３次元画像の基準線（１本の走査線）上における表面高さ分布（表面高さ分布曲線）を示す。図４のデータに示されるように、毛髪表面に形成されているキューティクルの大きさが明瞭に撮像されており、各キューティクルは山の部分と谷の部分とで構成され、各キューティクルは毛髪の長手軸線方向に連続的に形成されている。この測定データより、表面高さ分布曲線における隣接する山の部分と谷の部分との間の表面高さがキューティクルの大きさないし毛髪表面の段差の大きさとなる。
【００２９】
図４の測定データに基づき、本発明では、表面高さ分布曲線の隣接する山の部位の高さ位置と谷の部位における高さ位置との距離の差を求め、毛髪の表面段差の大きさないしキューティクル段差の大きさとする。表面高さ分布曲線について微分処理を行い、微係数が正から負に転換する変曲点が谷の部分に相当し、微係数が負から正に転換する変曲点が谷の部分に相当する。従って、互いに隣接する変曲点の表面高さ方向位置の値を求めることにより、表面段差の大きさが求められる。
【００３０】
図５は、信号処理装置の一例を示す図である。初めに、ステージの移動経路の設定について説明する。キーボード装置のような入力装置５０を介して、１回の測定操作により測定される毛髪の本数及び毛髪１本当たりの測定点数が入力される。この測定条件は、測定点ピッチ算出手段５１に供給される。測定点ピッチ算出手段５１は、ステージのＸ方向の移動全長距離ｄ１（図３参照）と入力された毛髪１本当たりの測定点数から測定点間のピッチ（間隔）を算出する。算出された測定点間のピッチは毛髪の本数情報と共に移動経路設定手段５２に供給される。移動経路設定手段５２は、算出された測定点間のピッチｄ２と、毛髪支持手段１５に形成されている支持溝のＹ方向の配列ピッチｄ３（図３参照）と、測定開始点４１の座標とを用い、１回の測定操作におけるステージの移動経路を設定する。設定された移動経路は、ステージ駆動回路（図示せず）に供給され、ステージは設定された移動経路にそって測定点ごとに３次元画像を撮像する。そして、ステージが測定終了点４２に到達すると、１回の測定操作は終了する。
【００３１】
毛髪表面の断面として見た断面形状及び毛髪表面の凹凸の大きさを示す段差情報の生成方法について説明する。リニアイメージセンサ２０から出力され、増幅器２１に増幅された画像信号は、Ａ／Ｄ変換器５３によりデジタル信号に変換されて信号処理装置１０に入力する。画像信号は２次元画像形成手段５４に供給され、毛髪の２次元画像を表す２次元画像信号が形成される。形成された２次元画像信号は、最大輝度値検出手段５５に供給される。最大輝度値検出手段５５には、対物レンズ１３の光軸方向の位置を検出する位置センサ１７から対物レンズの位置情報も供給される。本発明では、対物レンズの光軸方向の位置を変えながら複数の２次元画像が撮像されるので、３次元画像形成手段５には対物レンズの焦点が光軸方向に変位した複数の２次元画像が順次入力する。
【００３２】
一方、共焦点撮像装置の特性として、毛髪表面からの反射光の強度は、対物レンズの焦点が毛髪表面と一致したとき最大となる。従って、対物レンズを光軸方向に変位させながら複数の２次元画像を撮像し、撮像素子から出力される輝度値が最大となるＺ軸方向の位置を各画素ごとに検出することにより、毛髪表面の３次元画像が形成される。最大輝度値検出手段５５は、順次入力する２次元画像について、位置センサ１７から供給される対物レンズの光軸方向の位置情報を用いて輝度値が最大となるＺ軸方向の位置を各画素ごとに検出する。そして、各画素の最大輝度値は共焦点画像形成手段５６に供給され、毛髪表面の２次元共焦点画像が形成される。形成された２次元共焦点画像信号は画像メモリ５７に供給され、必要に応じてモニタ等の表示装置に供給され、毛髪表面の２次元共焦点画像を表示することができる。
【００３３】
最大輝度値検出手段５５は、位置センサ１７から供給される対物レンズの光軸方向（Ｚ軸方向）の位置情報を用いて、最大輝度値を発生する各画素の光軸方向の位置を検出してＺ軸画像形成手段５８に供給する。Ｚ軸画像形成手段５８は、輝度値が最大となる各画素のＺ軸方向の位置を示すＺ軸画像を形成する。このＺ軸画像は、断面形状形成手段５９に供給される。断面形状形成手段５９は、毛髪の延在方向であるＸ方向に沿う基準線ないし走査線上の各画素のＺ軸方向の位置を抽出し、断面形状を形成する。すなわち、Ｚ軸画像は、毛髪表面のＺ軸方向の位置を各画素ごとに示す情報であるから、任意の基準線ないし走査線に沿う画素のＺ軸方向の位置を抽出することにより、毛髪表面を断面として表示する断面画像、すなわち基準線に沿う毛髪表面の高さ分布曲線（Ｚ軸プロファイル）が得られる。この表面高さ分布曲線は、図４に示すように、毛髪の延在方向の位置に対する毛髪の表面高さを連続的に示す曲線である。尚、基準線の設定方法として、例えば毛髪支持手段に形成された支持溝のＹ軸方向の中心座標を通りＸ方向に延在する直線を用いることができる。得られた毛髪の断面画像信号は、メモリ６０に供給する。そして、必要に応じて毛髪の断面輪郭形状（表面高さ分布曲線）をモニタ上に表示することができる。
【００３４】
毛髪の表面高さ分布曲線（Ｚ軸プロファイル）を示す断面形状信号は、微分手段６１に供給される。微分手段６１は、入力した表面高さ分布曲線について、毛髪の延在方向の距離を変数として微分処理を行い、微係数を算出する。算出された微係数は、第１の変曲点検出手段６２及び第２の変曲点検出手段６３にそれぞれ供給される。第１の変曲点検出手段６２は、微係数が正から負に反転する変曲点を検出し、その表面高さ位置、すなわち、毛髪表面の山の部位の高さ方向（Ｚ軸方向）の位置を各山の部位ごとに出力する。また、第２の変曲点検出手段６３は、微係数が負から正に反転する変曲点を検出し、その表面高さ、すなわち、毛髪表面の谷の部位における高さ方向の位置を各谷の位置ごとに出力する。
【００３５】
第１及び第２の変曲点検出手段６２及び６３から出力される表面高さ情報は、第１及び第２の加算手段６４及び６５にそれぞれ供給される。第１の加算手段６４は、山の部位の高さ位置の値を加算する。また、第２の加算手段６５は、谷の部位の表面高さ位置の値を加算する。第１及び第２の加算手段から出力される加算値は、差分手段６６に供給する。差分手段６６は、山の部位の高さ位置の値の加算出力と谷の部位における高さ位置の値の加算出力との差分を算出し、段差情報として出力する。すなわち、１つの測定点における毛髪表面の山の部位と谷の部位との高さ方向の差分の平均値が出力される。この平均値は、毛髪表面に形成されているキューティクルの大きさの平均値を指標するデータとなる。
【００３６】
勿論、図５に示す毛髪表面の段差の大きさを指標する情報は一例であり、これ以外の種々の方法により毛髪表面の段差ないしキューティクルの大きさを指標するデータを算出することも可能である。例えば、毛髪の長手軸線方向に隣接する谷の部位と山の部位の高さ方向位置の値の差分（各キューティクルの大きさ）をそれぞれ算出し、算出された差分を加算して平均値を求めることも可能である。或いは、平均値以外のデータとして、標準偏差を算出して出力することも可能である。
【００３７】
差分手段６６からの出力は、毛髪の１つの測定点の表面段差出力である。従って、各毛髪に設定された複数の測定点において測定された段差データから毛髪１本についての平均値を算出することができる。差分手段６６からの出力信号を毛髪の段差算出手段６７に供給する。毛髪の段差算出手段６７には、移動経路設定手段からの供給される移動経路情報も供給される。毛髪の段差算出手段は、各毛髪ごとに設定された測定点についての段差の平均値が供給され、この平均値を用いて１本の毛髪についての段差の平均値を算出する。或いは、１本の毛髪について、段差の平均値だけでなく、平均値に加えて標準偏差等の各種データを算出することも可能である。
【００３８】
毛髪表面の段差測定の変形例について説明する。本例では、毛髪表面に存在するキューティクルを検出し、検出されたキューティクルごとにキューティクル段差を検出する。図６はキューティクルごとに段差の大きさを算出するアルゴリズムを示す図である。初めに、Ｚ軸画像形成手段により形成された各画素ごとにＺ軸方向の位置データで構成されるＺ軸画像から、Ｚ軸方向の位置を濃淡輝度に変換した濃淡輝度画像を形成する。この場合、例えばＺ軸方向の位置が低いほど低輝度とし、表面の高さが高くなるにしたがって高輝度とする。生成された輝度画像と、共焦点画像形成手段により形成された各画素が最大輝度値を示す共焦点画像とを組み合わせて、濃淡輝度情報で構成されるＦ−Ｚ画像を生成する（ステップ１）。尚、組み合わせの方法として、例えば各画素ごとに輝度値を加算してＦ−Ｚ画像とすることができる。
【００３９】
続いて、Ｆ−Ｚフィルタを用いて低輝度の部分についてマスキング処理を行い、Ｆ−Ｚ画像について急激に輝度が低下する部分を抽出する（ステップ２）毛髪表面のキューティクルは、ウロコ状に形成され、毛髪の長手軸線方向にそって表面高さが徐々に高くなり、最も高い位置に到達すると急激に低くなる特性がある。従って、Ｆ−Ｚ画像についてマスキング処理を行うことにより、キューティクルの毛髪の長手軸線方向において高さが急激に低下する境界が検出され、検出された境界は隣接するキューティクルの境界に対応する。
【００４０】
続いて、Ｚ軸画像から毛髪の基準線に沿う断面形状プロファイル（表面高さ分布曲線）を抽出する（ステップ３）。
【００４１】
断面形状プロファイルにステップ２で形成された境界画像を重ね合わせ、各キューティクルの境界を示す境界部を設定し、隣接する境界部により区分けされる領域を測定区間として設定する（ステップ４）。この境界部を設定することにより、断面形状プロファイルにおける個々のキューティクルのＸ軸線方向の範囲が設定される。
【００４２】
設定された各測定区間内の最も高い部位の表面高さ方向の位置（最大値）と最も低い部位の表面高さ方向位置（最小値）を抽出し、最大値と最小との差分を形成する。得られた差分は、キューティクル段差の高さないし大きさを示す。例えば、得られた段差の大きさについて平均値を算出し、当該測定点における段差の大きさとすることができる。本例では、各キューティクルごとに段差の大きさを測定しているので、毛髪支持手段に取り付けられた毛髪が光軸方向に湾曲しても、Ｚ軸方向の整列誤差の無いキューティクル段差が測定される利点が達成される。
【００４３】
本発明は上述した実施例だけに限定されず、種々の変更や変形が可能である。例えば、上述した実施例では、共焦点撮像装置としてライン状の光ビームを用いて毛髪表面を走査する構成としたが、単一のレーザビームを用いて毛髪表面を走査する共焦点撮像装置ないし共焦点走査装置を用いることも可能である。この場合、例えばレーザ光源から出射したレーザビームを２次元スキャナを用いてＸ及びＹ方向に２次元走査し、対物レンズを光軸方向に移動させながら当該走査ビームを毛髪表面に向けて投射する。毛髪表面からの反射光は対物レンズを介して例えばラインセンサのような撮像装置により受光して、毛髪表面の２次元画像及び３次元画像を形成する。そして、図５又は図６に示す信号処理を行い、毛髪表面の断面形状画像を得ることも可能である。
【００４４】
さらに、上述した実施例では、走査ビームの集束点と毛髪表面との間の距離を変化させる方法として、対物レンズを光軸方向に移動させたが、毛髪を支持するステージを対物レンズの光軸方向にそって移動させることにより走査ビームの集束点と毛髪表面との間の相対距離を変化させることも可能である。
【符号の説明】
【００４５】
１  光源
２  光ファイバ
３  フィルタ
４  集束レンズ
５  スリット
６  ハーフミラー
７  レンズ  
８  振動ミラー  
９  駆動回路
１０  信号処理装置
１１，１２  リレーレンズ
１３  対物レンズ
１４  ステージ
１５  毛髪支持手段
１６  モータ
１７  位置センサ
１８  ステージ位置センサ
１９  ポジショナ
２０  リニアイメージセンサ
２１  増幅器
３０  支持プレート
３０ａ〜３０ｅ  支持溝
３１  毛髪
４０  ステージ移動経路
４１  走査開始点
４２  走査終了点
４３  測定点
【図１】
2013092409.tif 000003
【図２】
2013092409.tif 000004
【図３】
2013092409.tif 000005
【図４】
2013092409.tif 000006
【図５】
2013092409.tif 000007
【図６】
2013092409.tif 000008